【手続補正書】
【提出日】平成18年7月11日(2006.7.11)
【手続補正１】
【補正対象書類名】特許請求の範囲
【補正対象項目名】全文
【補正方法】変更
【補正の内容】
【特許請求の範囲】
【請求項１】
表示される異種の測定データの掘り下げを行うための方法であって、
数学的変換を使用して、異種の複数のネットワーク装置から収集された異種のスカラー測定データを変換するステップであって、該複数のネットワーク装置のうちの少なくとも１つのネットワーク装置からの該異種のスカラー測定データを、同種の数学的変換空間へと変換することにより、該異種のスカラー測定データを正規化する、ステップと、
変換された前記異種のスカラー測定データを表示するステップと、
変換され表示された前記異種のスカラー測定データに基づいて更なる測定データを表示するよう、該変換され表示された該異種のスカラー測定データを掘り下げるステップと、
を含む方法。
【請求項２】
収集された前記異種のスカラー測定データは、インターバル化される、
請求項１に記載の方法。
【請求項３】
変換する前記ステップは、さらに、
収集された前記異種のスカラー測定データから測定値を導出するステップと、
該導出された測定値または該収集された異種のスカラー測定データをスケーリングするステップと、
を含む請求項１に記載の方法。
【請求項４】
変換する前記ステップは、
収集された前記異種のスカラー測定データ、導出されスケーリングされた前記測定値、収集されスケーリングされた前記異種のスカラー測定データ、または導出された前記測定値を正規化することを含む、
請求項３に記載の方法。
【請求項５】
収集された前記異種のスカラー測定データのうちの少なくとも１つは、ＳＮＭＰプロトコルに従ってフォーマットされる、
請求項１に記載の方法。
【請求項６】
掘り下げる前記ステップは、正規化されていない前記異種のスカラー測定データを表示することを含む、
請求項１に記載の方法。
【請求項７】
掘り下げる前記ステップは、さらに、
データコレクタへと掘り下げるステップと、
前記データコレクタに記憶されたスカラー測定データを表示するステップと、を含み、  該記憶されたスカラー測定データは、収集された前記異種のスカラー測定データの元である、
請求項１に記載の方法。
【請求項８】
掘り下げる前記ステップは、さらに、
前記１つのネットワーク装置へと掘り下げるステップと、
前記１つのネットワーク装置に記憶された測定データを表示するステップと、を含む、
請求項１に記載の方法。
【請求項９】
掘り下げる前記ステップは、さらに、
前記１つのネットワーク装置を、コンテキストを用いて掘り下げるステップと、
前記１つのネットワーク装置においてユーザーインターフェースを起動するステップと、
ネットワーク処理を制御するために、前記１つのネットワーク装置においてアプリケーションまたは処理を起動するステップと、を含む、
請求項１に記載の方法。
【請求項１０】
掘り下げる前記ステップは、さらに、
他のネットワーク装置または他のネットワークを掘り下げるステップと、
前記他のネットワーク装置又は他のネットワークに記憶された測定データを表示するステップと、を含む、
請求項９に記載の方法。
【請求項１１】
掘り下げる前記ステップは、さらに、
他のネットワーク装置または他のネットワークを、コンテキストを用いて掘り下げるステップと、
前記他のネットワーク装置または他のネットワークのユーザーインターフェースを相互に起動するステップと、
前記他のネットワークの処理を制御するために、前記他のネットワーク装置または他のネットワークにおいてアプリケーションまたは処理を起動するステップと、
を含む、請求項９に記載の方法。
【請求項１２】
掘り下げる前記ステップは、
変換され表示された前記異種のスカラー測定データを、コンテキストを用いて掘り下げるステップを含む、
請求項１に記載の方法。
【請求項１３】
表示される異種のスカラー測定データを掘り下げるための装置であって、
数学的変換を使用して、異種の複数のネットワーク装置から収集された異種のスカラー測定データを変換する変換ユニットであって、該変換は、該複数の異種のネットワーク装置のうちの少なくとも１つのネットワーク装置からの該異種のスカラー測定データを、同種の数学的空間へと変換することにより、該異種のスカラー測定データを正規化することを含む、変換ユニットと、
変換された前記異種のスカラー測定データを表示するための表示ユニットと、
変換され表示された前記異種のスカラー測定データを掘り下げることにより、該変換され表示された該異種のスカラー測定データの元となる更なる測定データを前記表示ユニット上に表示する掘り下げユニットと、
を備える装置。
【請求項１４】
収集された前記異種のスカラー測定データのうちの少なくとも１つは、ＳＮＭＰプロトコルに従ってフォーマットされる、
請求項１３に記載の装置。
【請求項１５】
さらに、
掘り下げられ、正規化されていない異種のスカラー測定データの表示を含む、
請求項１３に記載の装置。
【請求項１６】
前記掘り下げユニットは、データコレクタに記憶されたスカラー測定データを表示するよう、該データコレクタへの掘り下げを行い、記憶された該スカラー測定データは、収集された前記異種のスカラー測定データの元である、
請求項１３に記載の装置。
【請求項１７】
前記掘り下げユニットは、前記１つのネットワーク装置に記憶された測定データを表示するよう、該１つのネットワーク装置を掘り下げる、
請求項１３に記載の装置。
【請求項１８】
前記掘り下げユニットは、コンテキストを用いて、前記１つのネットワーク装置へと掘り下げ、該１つのネットワーク装置においてユーザーインターフェースを起動させると共に、ネットワーク処理の制御を行うためのアプリケーションまたは処理を起動させる、
請求項１３に記載の装置。
【請求項１９】
前記掘り下げユニットは、他のネットワーク装置または他のネットワークに記憶された測定データを表示するよう、該他のネットワーク装置または他のネットワークを、コンテキストを用いて掘り下げる、
請求項１８に記載の装置。
【請求項２０】
前記掘り下げユニットは、他のネットワーク装置または他のネットワークを、コンテキストを用いて掘り下げ、該他のネットワーク装置または他のネットワークにおいてユーザーインターフェースを相互に起動させると共に、該他のネットワークの処理を制御するためのアプリケーションまたは処理を起動させる、
請求項１８に記載の装置。
【請求項２１】
異種のスカラー測定データを表示させるための命令を機器に供給する媒体であって、該命令は、該機器に、
数学的変換を用いることにより、異種の複数のネットワーク装置から収集された異種のスカラー測定データを変換するステップであって、該複数のネットワーク装置のうちの１つのネットワーク装置からの異種のスカラー測定データを同種の数学的変換空間へと変換することにより、異種のスカラー測定データを正規化することを含む、ステップと、
変換された前記異種のスカラー測定データを表示するステップと、
変換され表示された前記異種のスカラー測定データの元となる更なる測定データを表示するよう、該変換され表示された該異種のスカラー測定データを掘り下げるステップと、
を実行させる、媒体。
【請求項２２】
さらに、前記命令は、前記機器に、
収集された前記異種のスカラー測定データから測定値を導出するステップと、
導出された該測定値または収集された該異種のスカラー測定データをスケーリングするステップと、を実行させる、
請求項２１に記載の媒体。
【請求項２３】
前記掘り下げるステップは、さらに、
データコレクタへと掘り下げるステップと、
前記データコレクタに記憶されたスカラー測定データを表示するステップと、を含み、
該記憶されたスカラー測定データは、該収集された前記異種のスカラー測定データの元である、
請求項２１に記載の媒体。
【請求項２４】
前記掘り下げるステップは、前記１つのネットワーク装置への掘り下げと、該１つのネットワーク装置に記憶された測定データの表示をさらに実施する、
請求項２１に記載の媒体。
【請求項２５】
前記堀り下げるステップは、さらに、
前記１つのネットワーク装置を、コンテキストを用いて掘り下げるステップと、
前記１つのネットワーク装置においてユーザーインターフェースを起動するステップと、
ネットワーク処理を制御するためのアプリケーションまたは処理を起動するステップと、
を含む、請求項２１に記載の媒体。